(57)【要約】【課題】従来は検査用のパターンとして、各ＲＧＢ毎に全明度色を表示させていた。本願発明は検査する色の数を減少させて、検査時間の短縮、容易な判定、容易な自動化、表示領域の縮小を行う。【解決手段】画像の３原色ＲＧＢの明度を夫々Ｎ（Ｎは正整数）ビットの信号で駆動する液晶表示駆動装置９の出力色が正常であるか否かを検査する液晶表示駆動装置の出力検査装置において、ＲＧＢの夫々について前記各ビットの１つのみをＯＮにしたＮ×３種類の検査用液晶表示パターンを出力する液晶表示パターン発生回路６と、液晶表示パターン発生回路６の出力を入力して駆動信号を出力する被検査物の液晶表示駆動装置９の駆動信号により検査パターンを表示するＬＣＤ１１とを備える。【選択図】        図１
2004226886.tif 000002
【特許請求の範囲】
【請求項１】
画像の３原色ＲＧＢの明度を夫々Ｎ（Ｎは正整数）ビットの信号で駆動する液晶表示駆動装置の出力色が正常であるか否かを検査する液晶表示駆動装置の出力検査装置において、
ＲＧＢの夫々について前記各ビットの１つのみをＯＮにしたＮ×３種類の検査用液晶表示パターンを出力するパターン発生回路と、該パターン発生回路の出力を入力して駆動信号を出力する被検査物の液晶表示駆動装置の駆動信号により検査パターンを表示する表示部とを備えたことを特徴とする液晶表示駆動装置の出力検査装置。
【請求項２】
前記Ｎ×３種類の基準色を記憶する記憶手段と、前記表示部に表示されたＮ×３種類の色を検出する検出手段と、前記検出手段によって検出された色と前記記憶手段に記憶される基準色と比較して判定結果を出力する制御手段とを備えたことを特徴とする請求項１に記載の液晶表示駆動装置の出力検査装置。
【請求項３】
前記検出手段は前記表示部に表示される検査パターンを白黒２値で撮像し、前記制御手段は白黒２値で検査パターンを判定することを特徴とする請求項２に記載の液晶表示駆動装置の出力検査装置。
【請求項４】
前記検出手段は前記表示部に表示される検査パターンを白色で照射する照射手段を備えたことを特徴とする請求項３に記載の液晶表示駆動装置の出力検査装置。
【発明の詳細な説明】
【０００１】
【発明の属する技術分野】
本発明は、液晶表示駆動装置の出力色が正常であるか否かを検査する液晶表示駆動装置の出力検査装置に関する。
【０００２】
【従来の技術】
現在、液晶表示駆動用基板に回路部品を搭載した後、出力色が正常であるか否かの検査が行われている。例えば、携帯電話のカラー液晶表示駆動装置はフレキシブルプリント板（ｆｌｅｘｉｂｌｅ  ｐｒｉｎｔｅｄ  ｃｉｒｃｕｉｔ）に表面実装部品を装着したＣＯＦ（ｃｈｉｐ  ｏｎ  ｆｌｅｘｉｂｌｅ  ｐｒｉｎｔｅｄ  ｃｉｒｃｕｉｔ）である。その色彩はＲＧＢの３原色混合であり、明度は夫々８ビットの２５６種類ある。従って、従来はＲＧＢに毎に２５６のパターンを表示させ、肉眼で検査していた。
【０００３】
【発明が解決しようとする課題】
しかしながら、明度のビットの組合せ全部を識別するには熟練を要し、また検査に長い時間を要した。さらに、人為的な検査であるために、不良を見逃す可能性があった。
【０００４】
【課題を解決するための手段】
本発明の液晶表示駆動装置の出力検査装置はかかる点に鑑みなされたもので、画像の３原色ＲＧＢの明度を夫々Ｎ（Ｎは正整数）ビットの信号で駆動する液晶表示駆動装置の出力色が正常であるか否かを検査する液晶表示駆動装置の出力検査装置において、
ＲＧＢの夫々について前記各ビットの１つのみをＯＮにしたＮ×３種類の検査用液晶表示パターンを出力するパターン発生回路と、該パターン発生回路の出力を入力して駆動信号を出力する被検査物の液晶表示駆動装置の駆動信号により検査パターンを表示する表示部とを備える。
【０００５】
これにより検査する信号の数を減少させることができ、検査時間の短縮、容易な判定、容易な自動化、表示領域の縮小ができる。
【０００６】
また、前記Ｎ×３種類の基準色を記憶する記憶手段と、前記表示部に表示されたＮ×３種類の色を検出する検出手段と、前記検出手段によって検出された色と前記記憶手段に記憶される基準色と比較して判定結果を出力する制御手段とを備える。
【０００７】
この自動化により、不良の人為的な見逃しを防止することができる。
【０００８】
また、前記検出手段は前記表示部に表示される検査パターンを白黒２値で撮像し、前記制御手段は白黒２値で検査パターンを判定する。これにより、安価な装置を供給することができる。
【０００９】
また、前記検出手段は前記表示部に表示される検査パターンを白色で照射する照射手段を備える。これにより、ＲＧＢ均一の明度レベルにすることができる。
【００１０】
【発明の実施の形態】
本発明の実施の形態を図面に基づき説明する。
【００１１】
図１は実施の形態の要部を示すブロック図である。制御回路（１）はＲＯＭ（２）に記憶されたプログラムに基づき各部を制御する。ＲＡＭ（３）は制御回路（１）の動作に必要な情報、例えば、基準の色を記憶する。表示部（４）は検査の操作や検査に係るメッセージを表示する。検査の操作は入力部（５）で行われる。
【００１２】
被検査物である液晶表示駆動装置（９）は第１の接続部（８）と第２の接続部（１０）に接続される。制御回路（１）からの制御により、液晶表示パターン発生回路（６）は検査用液晶表示パターンを第１の接続部（８）を介して液晶表示駆動装置（９）に出力する。ＩＣ用電源（７）は第１の接続部（８）を介して液晶表示駆動装置（９）に電源を供給する。
【００１３】
液晶表示駆動装置（９）は液晶表示パターン発生回路（６）の出力に基づく検査用液晶表示パターンを、第２の接続部（１０）を介してＬＣＤ（１１）に出力する。ＬＣＤ（１１）は液晶表示駆動装置（９）の出力に基づく検査用液晶表示パターンを表示し、このパターンをカメラ（１２）が撮像して、その撮像情報を制御回路（１）に出力する。
【００１４】
制御回路（１）はカメラ（１２）から出力された撮像情報を分析して、ＬＣＤ（１１）の各画素の色を識別する。そして、ＲＡＭ（３）に記憶される基準色と比較し、その結果を表示部（４）に表示させる。
【００１５】
上述の構成において、詳細に説明する。本実施の形態の液晶表示駆動装置（９）は携帯電話装置のカラー表示に使用されるものである。そのカラーの色彩はＲＧＢの３原色の混合であり、明度は夫々８ビットの２５６種類ある。従って、各画素への色指定の信号はＲの８ビットとＧの８ビットとＢの８ビットの計２４ビットとなる。本願発明の液晶表示パターン発生回路（６）は、ＲＧＢの夫々について各ビットの１つのみをＯＮにした８×３種類の検査用液晶表示パターンを出力する。
【００１６】
図２はＬＣＤ（１１）に表示されるの画素単位のパターンを示す。Ｒ０の画素にはＲとして明度の第１ビットのみ“１”（ここでは１をＯＮとする。）で、ＧとＢの明度は全て“０”の信号が出力される。Ｇ０の画素にはＧとして明度の第１ビットのみ“１”で、ＲとＢの明度は全て“０”の信号が出力される。Ｂ０の画素にはＢとして明度の第１ビットのみ“１”で、ＲとＧの明度は全て“０”の信号が出力される。また、Ｇ６の画素にはＧとして明度の第７ビットのみ“１”で、ＲとＢの明度は全て“０”の信号が出力される。このようにして、２４ビット中１ビットのみが“１”で、他のビットは“０”の信号となる２４種類の色を計２４個の画素に表示する。
【００１７】
カメラ（１２）は白色ＬＥＤの光源を有してＬＣＤ（１１）を照射して、２４個の画素を白黒２値で撮像する。検査する２４個の画素にはＲＧＢのいずれか１種類の色彩しか表示させないために、白黒２値の明度判定でよい。発明者の実験によると、光源としてハロゲンを使用すると、ハロゲン照明は赤に近い波長であるため、Ｂ（青）の白黒２値化した場合の明度レベルがＲ（赤）  やＧ（緑）の１／３になる。従って、本願発明はＲＧＢ均一の明度レベルにするために白色の光源にする。
【００１８】
ＲＡＭ（３）には基準となる白黒２値の明度情報が記憶されている。制御回路（１）はカメラ（１２）が撮像した２４個の画素の明度をＲＡＭ（３）に記憶される基準値と比較する。そして、各画素の明度が一致したか否かを表示部（４）に表示させる。使用者は表示部（４）に表示された結果により、合否の判定や、不良であった場合の不良箇所の想定を行うことができる。
【００１９】
従来は検査用のパターンとして、各ＲＧＢ毎に２５６色を表示させていた。本願発明は液晶表示駆動装置（９）が出力する信号の種類に着眼したものであり、ＲＧＢの夫々について明度の各ビットの１つのみをＯＮにした８×３種類の検査用パターンを表示させる。これにより検査する色の数が減少するので、検査時間の短縮、容易な判定、容易な自動化、表示領域の縮小ができる。尚、上述の例では、白黒２値で撮像して明度を判定したが、カラーで撮像してカラー色を判定しても、この作用効果はある。また、人的に判定しても、検査時間の短縮、容易な判定の作用効果がある。
【００２０】
また、ＲＧＢの混合色がない単色であるため、白黒２値の明暗の判定を可能にし、安価な装置を供給することができる。
【００２１】
尚、上述の例の液晶表示駆動装置はＣＯＦであったが、基板の材質に限定するものではなく、他の基板でもよい。
【００２２】
また、上述のパターンは１画素に１色を表示させたが、複数の画素に１色を表示させてもよい。
【００２３】
【発明の効果】
従来は検査用のパターンとして、各ＲＧＢ毎に全明度色を表示させていた。本願発明は液晶表示駆動装置が出力する信号の種類に着眼したものであり、ＲＧＢの夫々について明度の各ビットの１つのみをＯＮにした８×３種類の検査用パターンを表示させる。これにより検査する色の数を減少させることができ、検査時間の短縮、容易な判定、容易な自動化、表示領域の縮小ができる。
【図面の簡単な説明】
【図１】本発明の要部を示すブロック図である。
【図２】ＬＣＤに表示される検査パターンを示す図である。
【符号の説明】
１  制御回路
６  液晶表示パターン発生回路
９  液晶表示駆動装置
１１  ＬＣＤ
１２  カメラ
【図１】
2004226886.tif 000003
【図２】
2004226886.tif 000004